(57)【要約】      （修正有）【課題】ブーケの美しさを損なうことなく、多くの参加者に対してブーケを分配することが出来て、楽しみを与えることが出来る、新規な構造のブーケを提供すること。【解決手段】ブーケ１０を構成する茎付き花１２，１４の茎部にそれぞれ中空カバー２０を取り付けて、小物類を入れることが出来る収容スペースを設けると共に、茎部と中空カバー２０の何れかに引抜紐２６を取り付けた。【選択図】図１
0003106134.tif 000002
【実用新案登録請求の範囲】
【請求項１】
茎部の先端に花部を備えた茎付き花の複数本を集めてそれぞれの茎部を束ねると共に、それら複数本の茎付き花における該茎部の周りを覆う包装カバーを設けて、該包装カバーの開口部分から各茎付き花の該花部が見えるようにしたブーケにおいて、
前記各茎付き花の前記茎部に中空カバーを外挿し、該中空カバーの基端側を略閉塞状態とする一方、該中空カバーの先端側の開口を前記花部で略覆蓋せしめて、該茎部の周りに該中空カバーで囲まれた収容スペースを形成することにより、該収容スペースに小物類を入れて収容することができるようにすると共に、該茎部と該中空カバーの何れかに引抜紐を取り付けて、該引抜紐を前記包装カバーの開口部分から外部に垂れ下がるようにして延び出させたことを特徴とするブーケ。
【請求項２】
前記中空カバーが不透明な材質によって形成されて、前記収容スペースに入れた際に前記小物類が外部から視認不能となるようにされている請求項１に記載のブーケ。
【請求項３】
前記中空カバーが、前記茎部側から前記花首側に向かって次第に拡開する中空の略錐体形状とされている請求項１又は２に記載のブーケ。
【請求項４】
前記中空カバーから前記茎部の基端側端部を突出させて、かかる突出した茎部の基端側端部を束ねて相互に固定した請求項１乃至３の何れかに記載のブーケ。
【請求項５】
複数本の前記茎付き花として、少なくとも２種類のものを採用した請求項１乃至４の何れかに記載のブーケ。
【請求項６】
複数本の前記茎付き花において、その１本だけを他とは異なる花部を有する当り花とした請求項５に記載のブーケ。
【請求項７】
複数本の前記茎付き花における前記収容スペースに前記小物類を収容せしめた請求項１乃至６の何れかに記載のブーケ。
【請求項８】
前記収容スペースに収容する前記小物類として、少なくとも２種類のものを採用した請求項７に記載のブーケ。
【考案の詳細な説明】
【技術分野】
【０００１】
本考案は、ブーケに係り、例えば結婚式等の祝事やパーティー等で好適に用いられるブーケに関するものである。
【背景技術】
【０００２】
従来から、生花と造花に拘らず花を用いた装飾物の類は、婚礼披露宴やパーティー等の催し物において会場を彩るために欠くことが出来ないものとして、用いられている。特に、ブーケ（花束）は、花が持つ鮮やかな色彩を多様な好みに応じて表現することが出来ると共に、持ち運び可能であること等から、単に会場の飾りつけだけでなく、主賓が持つ等して広く利用されている。
【０００３】
そして、婚礼披露宴やパーティー等の催し物では、演出の一つとして、かかるブーケそのものを、主賓や列席者に対して贈呈することも多い。
【０００４】
ところが、多数のブーケを準備して参加者全員にブーケを贈ることは、費用や取扱上などの問題から現実的でない。そこで、従来、ブーケは、主賓にだけ贈られたり、或いは特定の参加者だけに贈られることが殆どであった。
【０００５】
そのために、ブーケを贈られる特定人以外は、ブーケの贈呈の様子をただ見ているだけであり、それ以上に、ブーケを構成する美しい花の楽しみを全ての参加者が共有する手段は、提供されていなかったのである。即ち、美しい花によって彩られた華やかなブーケをより効果的に活用し、その美しさをより多くの参加者によって楽しく共有できるようにする有効な方策が、従来では無かったのである。
【０００６】
なお、一部の結婚式では、ブーケトスと称して、花嫁が投じたブーケを未婚の複数の女性の一人が手に入れる演出も行われている。しかし、近年では、式場のスペース制限等によって実施できないことが多く、仮に実施できる場合でも、結局のところブーケを受け取るのがただ一人になることに変わりはない。加えて、参加者が未婚女性に制限されることや、宴に不釣合いなブーケを奪い合う様相を呈することが少なくない等という問題が指摘されることもあった。
【０００７】
ところで、婚礼披露宴やパーティー等の催し物においては、参加者に対して、主催者からのメッセージカードやお菓子等の小物類を贈ることが、しばしば行われている。その際、参加者に喜んで貰うために、小物類を贈る演出に様々な趣向を凝らすことが多い。そこで、かかる趣向の一つとして、小物類を贈る演出に上述のブーケを利用することが考えられる。美しいブーケによって、催し物自体を華やかにすると共に、小物類を贈る行為にまで彩りを添えることによって、多くの参加者にブーケの美しさを共有して貰えることが期待できるからである。
【０００８】
その際に用いるブーケについて一つの具体例が、実公平７−３４８９２号（特許文献１）に開示されている。かかる特許文献１には、贈る小物類を、単に花束に添えるだけでなく、花束を構成する茎付きの花と共に花束の中に差し入れて一緒に束ねた構造のブーケが提案されている。
【０００９】
しかしながら、この特許文献１に記載された従来構造のブーケは、茎状の心材の先端に対して花に代えて茶葉等のパックを取り付けただけのものを、茎付き花に混ぜて一緒に束ねたに過ぎないものである。そのために、明らかに花と異なる茶葉等のパックが外部から直接に見えてしまい、ブーケ自体の見栄えが非常に悪くなってしまうという問題があった。
【００１０】
しかも、かかる特許文献１に記載の従来構造のブーケは、茶葉等のパックの外観が直接に見えてしまうことから、それが何であるかということが容易に判ってしまう。そのために、演出が不十分で、ワクワクするような楽しみを十分に与えることが難しいという問題もあった。
【００１１】
加えて、かかる特許文献１に記載の従来構造のブーケを用い、例えば複数の参加者に対して、ブーケに束ねられた茶葉等のパックをそれぞれ配ろうとすると、贈呈者または被贈呈者がブーケの中に直接に手を差し入れて茶葉を掴んでブーケから引き抜く必要がある。このような操作は、繊細な花によって美しく彩られたブーケを利用した演出として、その美しさを損ねるおそれもあり、決して似つかわしいものでなかった。
【００１２】
【特許文献１】実公平７−３４８９２号公報
【考案の開示】
【考案が解決しようとする課題】
【００１３】
ここにおいて、本考案は、上述の如き事情を背景として為されたものであって、その解決課題とするところは、ブーケの美しさを損なうことなく、多くの参加者に対して花を分配することが出来て、楽しみを与えることが出来る、新規な構造のブーケを提供することにある。
【課題を解決するための手段】
【００１４】
以下このような課題を解決するために為された本考案の態様を記載する。なお、以下に記載の各態様において採用される構成要素は、可能な限り任意な組み合わせで採用可能である。また、本考案の態様乃至は技術的特徴は、以下に記載のものに限定されることなく、明細書全体および図面に記載されたもの、或いはそれらの記載から当業者が把握することの出来る考案思想に基づいて認識されるものであることが理解されるべきである。
【００１５】
すなわち、ブーケに関する本考案の第一の態様は、茎部の先端に花部を備えた茎付き花の複数本を集めてそれぞれの茎部を束ねると共に、それら複数本の茎付き花における該茎部の周りを覆う包装カバーを設けて、該包装カバーの開口部分から各茎付き花の該花部が見えるようにしたブーケにおいて、前記各茎付き花の前記茎部に中空カバーを外挿し、該中空カバーの基端側を略閉塞状態とする一方、該中空カバーの先端側の開口を前記花部で略覆蓋せしめて、該茎部の周りに該中空カバーで囲まれた収容スペースを形成することにより、該収容スペースに小物類を入れて収容することができるようにすると共に、該茎部と該中空カバーの何れかに引抜紐を取り付けて、該引抜紐を前記包装カバーの開口部分から外部に垂れ下がるようにして延び出させたことを特徴とする。
【００１６】
このような第一の態様に従う構造とされたブーケにおいては、茎部と中空カバーの何れかに引抜紐を取り付けて、その引抜紐を包装カバーの開口部分から外部に垂れ下がるようにして延び出させたことにより、ブーケを分配する際にブーケを構成する茎付き花に直接手を触れることなく、引抜紐を引くことで茎付き花を引き抜くことが出来る。それ故、ブーケの分配時にブーケの中に直接に手を差し入れることによって、ブーケの美しさを損ねることを回避できると共に、引抜紐を引くだけという簡単な方法でブーケを分配することが出来て、多くの参加者に楽しみを与えることが出来る。
【００１７】
更に、茎部と中空カバーの何れかに引抜紐を取り付けると共に、複数の茎付き花の茎部の周りを包装カバーによって覆うことによって、どの茎付き花にどの引抜紐が取り付けられているのか、外観からは容易に判別できないようにすることが出来る。これによって、引抜紐を引くことで何が頂けるのか分からなくすることが出来て、ブーケを分配する際の楽しみを増大させることが出来る。
【００１８】
また、収容スペースを形成する中空カバーを茎部に取り付けて、中空カバーの先端側の開口を花部によって略覆蓋せしめると共に、複数本の茎付き花を束ねた状態でそれら茎付き花の茎部の周りを包装カバーによって覆ったことにより、外観からは中空カバーを容易に看取されなくなっている。それ故、小物類をブーケに加えても、ブーケの外観には大きな影響が生じず、ブーケの美しさを損なうことなく小物類をブーケに加えることが出来る。なお、包装カバーの材質や形状等によっては、中空カバーが外部から看取され得るが、美しくデザインされた中空カバーを用いることによって、ブーケの美しさを損なわず、寧ろ一層引き立たせることも可能である。
【００１９】
また、本考案の第二の態様は、前記第一の態様に従う構造とされたブーケにおいて、前記中空カバーが不透明な材質によって形成されて、前記収容スペースに入れた際に前記小物類が外部から視認不能となるようにされていることを特徴とする。このような、本態様に従う構造とされたブーケでは、中空カバー内に収容スペースが設けられていることを外部から窺い知ることが出来なくなっている。それ故、収容スペースに小物類を収容する場合には、思いがけない贈り物（小物類）の贈り方によって、ブーケを分配された参加者に驚きと楽しみを与えることが出来る。また、収容スペースに小物類を収容しない場合であっても、茎部の一部が不透明な中空カバーによって覆われることにより、中空カバーが茎部に取り付けられた装飾のように看取されて、ブーケを一層美しく飾ることが出来る。
【００２０】
また、本考案の第三の態様は、前記第一又は第二の態様に従う構造とされたブーケにおいて、前記中空カバーが、前記茎部側から前記花首側に向かって次第に拡開する中空の略錐体形状とされていることを特徴とする。このような、本態様に従う構造とされたブーケでは、中空カバーの下端部を茎部の周りに隙間なく収束せしめることで、容易に収容スペースを形成することが出来る。
【００２１】
また、本考案の第四の態様は、前記第一乃至第三の何れかの態様に従う構造とされたブーケにおいて、前記中空カバーから前記茎部の基端側端部を突出させて、かかる突出した茎部の基端側端部を束ねて相互に固定したことを特徴とする。このような、本態様に従う構造とされたブーケでは、棒状の茎部と塊状の花部を備える茎付き花の構造から、茎付き花に中空カバーを取り付けた状態において、全体として意匠的に優れたものとなる。更に、中空ケースから突出した茎部の基端側端部を束ねたことにより、中空カバーを損傷することなく、複数本の茎付き花を充分に強く束ねることが出来る。更にまた、茎部の基端側端部が中空カバーから突出していることによって、把持し易いブーケを実現することが出来る。
【００２２】
また、本考案の第五の態様は、前記第一乃至第四の何れかの態様に従う構造とされたブーケにおいて、複数本の前記茎付き花として、少なくとも２種類のものを採用したことを特徴とする。このような、本態様に従う構造とされたブーケでは、どの花が当たるのかという楽しみを参加者に与えることが出来る。更に、引抜紐をブーケを分配される参加者自身にそれぞれ選んで引き抜いて貰うことにより、一層高い演出効果を得ることが可能である。
【００２３】
また、本考案の第六の態様は、前記第五の態様に従う構造とされたブーケにおいて、複数本の前記茎付き花において、その１本だけを他とは異なる花部を有する当り花としたことを特徴とする。このような、本態様に従う構造とされたブーケでは、見た目に明らかな当りを設けることが出来る。それ故、参加者が当りを目指して引抜紐を引くことにより、ブーケの分配にゲーム性が生じることとなって、参加者に楽しみを与えることが出来る。
【００２４】
また、本考案の第七の態様は、前記第一乃至第六の何れかの態様に従う構造とされたブーケにおいて、複数本の前記茎付き花における前記収容スペースに前記小物類を収容せしめたことを特徴とする。このような、本態様に従う構造とされたブーケでは、参加者に美しい茎付き花と共に、小物類を贈ることが出来て、参加者に楽しみを与えることが出来る。しかも、普通に手渡すのではなく、ブーケを構成する茎付き花に取り付けられた中空カバーによって形成された収容スペースに収められていることで、驚きを与えることも可能である。
【００２５】
また、本考案の第八の態様は、前記第七の態様に従う構造とされたブーケにおいて、前記収容スペースに収容する前記小物類として、少なくとも２種類のものを採用したことを特徴とする。このような、本態様に従う構造とされたブーケでは、ブーケを分配する際、中空カバーが透明であれば、各参加者がそれぞれ自分の狙った小物を引き当てられるかどうかといったゲーム性を生み出すことが可能である。また、中空カバーが不透明な場合には、何が当たったのかが開封するまで分からないため、引き当てた小物に対する期待感を高める効果を得ることが出来る。
【考案を実施するための最良の形態】
【００２６】
以下、本考案を更に具体的に明らかにするために、本考案の実施形態について、図面を参照しつつ、詳細に説明する。
【００２７】
まず、図１，図２には、本考案の一実施形態としてのブーケ１０が示されている。かかるブーケ１０は、複数本（本実施形態においては２０本であり、一般に数本〜数十本とされる。）の茎付き花としての造花１２，１４を備えている。なお、以下の説明において、上下方向とは、鉛直方向である、図１における上下方向を示すものとする。
【００２８】
造花１２，１４は、図３に示されているように、長手状の棒材である茎部１６の一端に美しい外観を備えた花部１８，１９が取り付けられており、本実施形態では、紙製で薔薇を模したものとされている。茎部１６は、針金等を心材として形成されており、花部１８，１９の重量を支持することの出来る強度を備えると共に、手などで一定以上の応力を作用せしめることで容易に湾曲せしめることが出来るようにされている。また、本実施形態では、花部１８，１９は薔薇の花首を模したものとされており、２０本の造花の内、１９本が白色の花部１８を備えた造花１２とされていると共に、１本が桃色の花部１９を備えた造花１４とされている。
【００２９】
かかる造花１２，１４には、茎部１６の中央よりも花部１８，１９側に中空カバーとしての収容容器２０が取り付けられている。収容容器２０は、図３に示すように、全体として上方に向かって次第に拡開する中空の略四角錐形状であって、下端部が茎部１６の周囲に沿って略密着せしめられていると共に、その上端開口部が花部１８の下部に押し付けられて、花部１８によって実質的に閉塞せしめられている。これによって、茎部１６に収容容器２０が取り付けられた部分で、茎部の周囲には、図４に示すように、収容スペースとしての小物収容空間２２が形成されている。かかる小物収容空間２２には、種々なる小物類を入れて収容することが出来るが、特に、本実施形態では小物類として、しばしば婚礼披露宴等において配られるアーモンドを糖衣によって包んだドラジェ２４という菓子や図示しない各種アクセサリーが収容されている。
【００３０】
また、収容容器２０の下方には、引抜紐としての引抜リボン２６が茎部１６に対して結び付けられている。かかる引抜リボン２６は、長さ１０〜１００センチメートル程度のリボンで、一方の端部が茎部１６に対して結び付けられて取り付けられていると共に、他方の端部が小物収容空間２２内を通って収容容器２０と花部１８の間から上方に延び出している。なお、引抜リボン２６の茎部１６に対する取付位置に形成された結び目は、収容容器２０と茎部１６の間を通過することが出来ない大きさであるため、引抜リボン２６が上方へ引かれた場合にも、引抜リボン２６の取付位置が収容容器２０の下端部より上方に位置することはない。
【００３１】
このような、造花１２，１４に対して収容容器２０及び引抜リボン２６が取り付けられて構成された容器付き花２８が複数本纏められ、束ねられることによって、ブーケ１０が構成されている。
【００３２】
すなわち、ブーケ１０は、図１，２に示すように、容器付き花２８を纏めて、その周囲を包装カバーとしてのチュール３０で囲み、下端部を糸などによって締め付けて容器付き花２８を束ねると共に、かかる容器付き花２８とチュール３０の下端部に把持部３２を外挿状態で取り付けることにより形成される。詳細には、チュール３０は、ナイロンや絹，綿等を材質とした、多数の孔を備えた網状の薄布で、全体として略筒体形状をしており、上下方向に伸びる折り目を付けられた状態で、束ねられた複数本の容器付き花２８の周囲に位置せしめられる。そして、チュール３０の下端部を糸などによって縛って締め付けることにより、チュール３０の下端部を纏められた茎部１６の周囲に沿うように縮径せしめると同時に、中央より上方の締め付けられていない部分を外方へ向かって拡開せしめることで、チュール３０を美しい形状とすることが出来る。なお、本実施形態では、ブーケ１０の美しさを増すために、チュール３０は、上方が略山形状にカットされている。
【００３３】
一方、把持部３２は、絹等の帯状の薄布によって形成された装飾リボン３４を、合成樹脂等で形成された薄肉円筒形状の図示しない把持筒体の外周面に巻き付けて、両面テープ等を用いて固定すると共に、装飾リボン３４の両端を把持筒体の上端付近で結んで結び目を作って構成されている。かかる把持部３２は、チュール３０及び茎部１６の下方から外挿状態で取り付けられる。
【００３４】
ここにおいて、上述の如く構成されたブーケ１０は、婚礼披露宴やパーティ等の催し物において、演出の一つとして参加者に分配される。具体的には、例えば、ブーケ１０を持った主催者が、参加者の席を順に廻って、参加者にブーケ１０から外方へ延びだした引抜リボン２６を一本ずつ選んで引いて貰う。かかる引抜リボン２６は、各容器付き花２８にそれぞれ一本ずつ取り付けられているため、引抜リボン２６を引くことによってその引抜リボン２６が取り付けられた容器付き花２８をブーケ１０から引き抜くことが出来る。これによって、ブーケ１０を多くの参加者（本実施形態では２０人）に分配することが可能とされている。
【００３５】
このような本実施形態に従う構造とされたブーケ１０においては、ブーケ１０を構成する各容器付き花２８に対して、それぞれ菓子及び小物を入れることが出来るようにされていると共に、各容器付き花２８がブーケ１０から各別に取り出せるため、複数の参加者、或いは、参加者全員に対して配ることが可能であり、本実施形態においては２０人という多数の参加者に楽しみや満足感を与えることが可能となる。
【００３６】
また、引抜リボン２６を引くだけで容器付き花２８をブーケ１０から取り出すことが可能となっているため、ブーケ１０に直接手を差し入れて容器付き花２８を取り出す必要がない。それ故、分配時にブーケ１０の美しさを損なうことがなく、また、分配後の各容器付き花２８もそれぞれ美しさを保った状態で分配することが出来る。
【００３７】
更に、各容器付き花２８を配る際に、受け取る列席者にブーケ１０から延び出す引抜リボン２６を選んで引き抜いて貰うことにより、くじ引きのような演出が実現されて、列席者に対して楽しみを与えることが出来る。更に、本実施形態においては、２０本の容器付き花２８の内、一本だけを他と色の異なる造花１４によって構成して、見た目に明確な当りを設けたことにより、色の異なる一本の造花１４を誰が引き当てるかというゲーム性を生み出すことが出来て、参加者に楽しみを与えることが可能である。
【００３８】
また、収容容器２０が不透明な材質によって形成されていることにより、分配前には収容容器２０内の様子を窺い知ることが出来ないため、参加者が、収容容器２０内に小物収容空間２２が設けられており、その小物収容空間２２に小物類が入っていると知ったときの驚きを導き出すことが出来る。更に、分配後も開封するまでは中身が分からないため、収容容器２０の内容物に対する期待感を煽ることが出来て、優れた演出効果を発揮する。
【００３９】
更にまた、複数種類の小物類を各容器付き花２８の小物収容空間２２にそれぞれ収容したことで、開封時にも、何が入っているのかという楽しみを与えることが出来ると共に、引き当てた小物についての話題を提供することも出来るため、参加者同士の会話を盛り上げる効果も期待できる。
【００４０】
また、収容容器２０を茎部１６側から花部１８側に向かって拡開する錐体形状とすることで、小物収容空間２２を容易に形成することが出来る。即ち、下端部を茎部１６の周りに収束せしめるだけで底部を形成することが可能であり、収容容器２０において最も製作が困難な底部を容易に形成出来る。
【００４１】
以上、本考案の一実施形態について説明してきたが、これはあくまでも例示であって、本考案は、かかる実施形態における具体的な記載によって、何等、限定的に解釈されるものではない。
【００４２】
例えば、前記実施形態では、ブーケ１０を構成する花として造花１２，１４を採用したが、造花１２，１４は生花に代えても勿論良い。
【００４３】
また、前記実施形態では、２０本の容器付き花２８によってブーケ１０を構成したが、ブーケ１０を構成する容器付き花２８の本数は、ブーケ１０を配分する人数に応じて増減させて良い。
【００４４】
また、収容容器２０は、前記実施形態の形状に何ら限定されることはない。具体的には、例えば、各種の錐体形状や有底筒体形状等が採用できる。また、筒体形状の収容容器２０を取り付けると共に、その基端側（図３中下方）を、リボン等で縛ったり、クリップで挟圧したりして、閉塞せしめて小物収容空間２２を形成することも出来る。更に、筒体形状の収容容器２０の基端側（図３中下方）を捻って、茎部１６に対して巻き付けることで閉塞せしめて、小物収容空間２２を形成することも出来る。
【００４５】
さらに、前記実施形態において、収容容器２０は、茎部１６の中央より上方に取り付けられていたが、収容容器２０は、例えば、茎部１６の長手方向全長に亘って覆う態様であっても良く、前記実施形態によって何ら限定されない。
【００４６】
また、前記実施形態では、造花１２，１４を紙製としていたが、合成樹脂等の他の材質で作製された造花でも良い。更に、花の種類や色は前記実施形態の物に何ら限定されず、一本だけが違う色である必要もない。即ち、複数種類且つ複数色の造花を組み合わせてブーケを構成することも出来る。
【００４７】
また、前記実施形態では、チュール３０はナイロンや絹、綿等をその材質としたが、チュールの材質は前記実施形態のものに何等限定されない。更に、その形状も前記実施形態のものに何等限定されず、例えば、孔のない薄布等も採用され得る。なお、好適には、ブーケの周囲に巻きつけられて取り付けられた状態で、その形状を保持することの出来る材質、具体的には、例えば、紙や合成樹脂フィルム等が採用され得る。また、チュールは、不透明又は半透明で、内部が外観から容易に判別されないものが望ましい。
【００４８】
また、前記実施形態において、引抜リボン２６は、収容容器２０の下方で茎部１６に結び付けられて取り付けられていたが、かかる引抜リボン２６は、容器付き花２８に対して固定的に取り付けられていれば良い。具体的には、例えば、収容容器２０の上方、即ち、茎部１６の上端付近に結び付けられていても良いし、収容容器２０に取り付けられていても良い。
【００４９】
さらに、引抜リボンは、必ずしも一種類のリボンを用いる必要はなく、形状や色、材質等が異なる複数種類の引抜リボンを同時に採用することも出来る。
【００５０】
さらにまた、引抜リボンは、必ずしも容器付き花２８に取り付けられている必要はない。具体的には、例えば、ブーケ１０を構成する容器付き花２８より多い引抜リボン２６をチュール３０の開口部分から垂れ下がるようにして延び出させて、その一部を容器付き花２８に取り付ける一方、残りの引抜リボン２６をその先端に何も取り付けられていない外れとしたり、チュール３０内に潜ませたアクセサリ等、容器付き花２８以外の物に取り付けても良い。
【００５１】
さらにまた、前記実施形態においては、収容容器２０に収容する小物や菓子等の一例としてドラジェ２４及び各種アクセサリー類を示したが、収容容器２０には、玩具類やキャンディー等の菓子類、更にはメッセージカード等、様々な物を収めることが出来る。なお、収容容器２０には必ずしも物を入れる必要はなく、小物収容空間２２に何も入っていない容器付き花２８と収容容器２０内に物を収めた容器付き花２８をそれぞれ用意することで、当りとはずれを設定することも出来る。
【００５２】
また、前記実施形態では、婚礼披露宴やパーティー等の催し物が行われている中での演出としてブーケ１０を使用する場合について例示したが、例えば、婚礼披露宴やパーティー等の催し物が終わった後、参加者を見送る際に、参加者にそれぞれ一本ずつ引抜リボン２６を選んで貰い、容器付き花２８を引き抜いて貰うことで、手土産として一輪の薔薇の造花１２（１４）と小物収容空間２２に収容されたドラジェ２４等を併せて贈ることも出来る。
【００５３】
その他、一々列挙はしないが、本考案は当業者の知識に基づいて種々なる変更，修正，改良等を加えた態様において実施され得るものであり、また、そのような実施態様が、本考案の趣旨を逸脱しない限り、何れも、本考案に含まれるものであることは、言うまでもない。
【図面の簡単な説明】
【００５４】
【図１】本考案の一実施形態としてのブーケの正面図である。
【図２】図１に示されたブーケを示す平面図である。
【図３】図１に示されたブーケに採用されている容器付き花を示す正面図である
【図４】図３に示された容器付き花の要部を拡大して示す縦断面図である。
【符号の説明】
【００５５】
１０  ブーケ
１２  造花
１４  造花
１６  茎部
１８  花部
１９  花部
２０  収容容器
２２  小物収容空間
２４  ドラジェ
２６  引抜リボン
２８  容器付き花
３０  チュール
３２  把持部
３４  装飾リボン
【図３】
0003106134.tif 000003
【図４】
0003106134.tif 000004
【図１】
0003106134.tif 000005
【図２】
0003106134.tif 000006